【事件の表示】
　特願２００７−１０２３０９「画像診断装置」拒絶査定不服審判事件〔平成２０年１０月３０日出願公開、特開２００８−２５９５４３、請求項の数（９）〕について、次のとおり審決する。
【結　論】
　原査定を取り消す。
　本願の発明は、特許すべきものとする。
【理　由】
第１　手続の経緯 
　本願は，平成１９年４月１０日を出願日とする出願であって，平成２４年５月１８日付けで拒絶理由が通知され，同年８月２２日付けで手続補正がなされ、同年１０月１９日付けで拒絶査定がなされ、平成２５年２月２５日に拒絶査定不服審判の請求がなされたものである。
　
第２　本願発明
　本願の請求項１に係る発明は、平成２４年年８月２２日付け手続補正書により補正された特許請求の範囲の請求項１に記載された事項により特定される、以下のとおりのものである。（以下、「本願発明」という。）
「【請求項１】
　被検体を撮像する撮像部と、
　オペレータによって複数の入力項目に操作データが入力されることにより、前記撮像部の動作を操作する操作部と
　を有する画像診断装置であって、
　前記操作部は、
　音声を出力する音声出力部と、
　前記入力項目に入力された操作データに基づいて、設定項目に対応するように設定データを設定する設定部と、
　を含み、
　前記設定部は、前記複数の入力項目にて一の入力項目に操作データが入力された後に、
当該一の入力項目に入力された操作データが変更された際には、当該一の入力項目において変更された操作データに基づいて、前記設定項目に対応するように設定した設定データを変更し、
　前記音声出力部は、前記設定部によって前記設定データが変更された際には、前記設定データが変更された旨の設定変更情報を、オペレータに音声で提供する、画像診断装置。」
　
第３　原審の拒絶理由において提示された引用刊行物およびその記載事項
１　原審の平成２４年５月１８日付け拒絶理由において引用された刊行物は以下の３件（以下、それぞれ「刊行物１」、「刊行物２」、「刊行物３」という。）である。
（１）特開２００３−２８０６８１号公報
（２）特開昭６３−４０５３７号公報
（３）特開２００４−２８６５７号公報
　
２　引用刊行物の記載事項（下線は当審で付与した。）
（１）上記刊行物１には、「医用画像処理装置、医用画像処理方法、プログラム、及び記録媒体」について、図面とともに次の事項が記載されている。
（１−ア）
「【特許請求の範囲】
【請求項１】入力された撮影条件に基づいて、放射線医用画像データに画像処理を施す医用画像処理装置において、
音声を入力する音声入力手段と、
前記音声入力手段により入力された音声信号を認識する音声認識手段と、
前記音声認識手段により認識された音声信号に対応する処理を実行する処理実行手段と、
を備えたことを特徴とする医用画像処理装置。
【請求項２】前記処理実行手段により実行された処理の結果に基づいて、処理結果を通知するための音声テキストデータを合成する音声合成手段と、
前記音声合成手段により合成された音声テキストデータを音声信号に変換して出力する音声出力手段と、
を更に備えたことを特徴とする請求項１記載の医用画像処理装置。」
　
（１−イ）
「【００２１】まず、構成を説明する。図１は、本実施の形態の全体構成を概念的に示す図である。図１に示す様に、
医用画像処理装置１は、ケーブル２を介して、放射線医用画像情報を読み取る医用画像読取装置３に接続されている
【００２２】
医用画像処理装置１は、放射線技師等により撮影が指示されると、医用画像読取装置３の動作を制御して、撮影された放射線医用画像情報を取得して表示画面上に表示させる。
【００２３】
医用画像読取装置３は、Ｘ線照射部を備えた医用画像読取装置であり
【００２４】図２は、医用画像処理装置１の機能的構成を示すブロック図である。以下、図２を参照して医用画像処理装置１の内部構成を詳細に説明する。
【００２５】図２に示す様に、
医用画像処理装置１
制御部１１、入力部１２、表示部１３、ＲＡＭ１４、記録媒体１５ａを有する記憶部１５、Ｉ／Ｆ１６、画像解析部１７、画像処理部１８、音声入力部１９、音声合成部２０、音声出力部２１により構成され
・・・
【００３５】
音声入力部１９は、
【００３６】音声合成部２０は、音声入力部１９の音声認識結果から得られる音声内容に対応する、或いは入力部１２から入力された内容に対応する警告音声データを、記録媒体１５ａに格納される警告音声ファイル１５３を参照して合成する。また、音声認識、あるいは入力された内容に基づいて行われた処理結果に対応する確認通知音声データを、確認通知音声ファイル１５４を参照して合成する。また、ガイダンス音声データを、ガイダンス音声ファイル１５２を参照して合成する。
【００３７】
音声出力部２１は、スピーカ、Ｄ／Ａコンバータ、及び増幅器等（何れも図示せず）により構成され、ＣＰＵ１１からの音声出力指示信号が入力されると、出力すべき音声のテキストデータをデジタル音声信号に変換し、該デジタル音声信号をＤ／Ａコンバータによりアナログ信号に変換後、このアナログ音声信号を増幅器により所定の音量に増幅して、スピーカから音声として出力する
　
（１−ウ）
「【００３８】次に、動作について説明する。まず、医用画像処理装置１により実行される音声入力処理について図３のフローチャートを参照して説明する。
【００３９】制御部１１は、入力部１２の所定キーが操作され、撮影条件入力画面等の入力画面の表示が指示されると、表示部１３に、入力画面を表示させる（ステップＳ１）。入力画面上で音声入力ボタンが押下されると（ステップＳ２；ＹＥＳ）、制御部１１は、以後音声入力部１９のマイクから入力される音声を、入力指示信号として認識するように、音声入力モードへ切り換え（ステップＳ３）、当該入力画面における入力方法のガイダンス音声データを、ガイダンス音声ファイル１５２から読み出して音声合成部２０により合成し、音声出力部２１から出力させる（ステップＳ４）。
【００４０】音声入力モードへの切り換え後、マイクより音声が入力されると（ステップＳ５）、制御部１１は、音声入力部１９に、入力されたユーザの音声信号を音声認識部にて音声認識させ、テキストデータに変換させる（ステップＳ６）。そして、制御部１１は、表示部１３に表示される入力画面ごとに、該入力画面上に表示される各種入力ボタンが押下された際に実行する処理とテキストデータとを対応付けて記憶する、音声処理対応付ファイル１５１を参照して、入力されたテキストデータに対応する処理があるか否かを判断する（ステップＳ７）。
【００４１】入力されたテキストデータに対応する処理が無いと判断すると（ステップＳ７；ＮＯ）、制御部１１は、音声合成部２０により、入力された音声内容に対応する警告音声データを、警告音声ファイル１５３を参照して合成し、音声出力部２１から出力させる（ステップＳ８）。また、制御部１１は、音声合成部２０により、入力された音声内容に対応するガイダンス音声データを、ガイダンス音声ファイル１５２を参照して合成し、音声出力部２１から出力させる（ステップＳ９）。
【００４２】制御部１１は、ステップＳ７において、入力されたテキストデータに対応する処理があると判断すると（ステップＳ７；ＹＥＳ）、入力されたテキストデータに対応する処理を実行する（ステップＳ１０）。そして、制御部１１は、処理結果を、表示部１３に表示させると共に、確認通知音声ファイル１５４を参照して、音声合成部２０により確認通知音声データを合成し、音声出力部２１から出力させる（ステップＳ１１）。」
　
（１−エ）
「【００４４】次に、上記音声入力処理を、撮影条件入力画面を例にとり説明する。図４は、撮影条件入力画面１３１の一例を示す図である。図４に示す撮影条件入力画面１３１の上部中央には、撮影対象となる患者の撮影ＩＤ及び氏名が表示されている。画面上部右側には、音声入力モードへ切り換えるための「音声入力」ボタン、音声入力モードを解除するための「音声解除」ボタン、入力した撮影条件を登録するための「確認」ボタン、入力した撮影条件を削除するための「削除」ボタン、当該撮影条件の入力をキャンセルするための「キャンセル」ボタン等が表示されている。画面右側下部には、画面を前ページに移行するための「前ページ」ボタン、画面を次のページに移行するための「次ページ」ボタンが表示されている。
【００４５】また、領域１３１ａは、選択済み条件表示領域であり、選択された撮影条件を表示する。選択済み条件表示領域１３１ａの下には、部位領域１３１ｂが表示されており、その更に下には、選択肢領域１３１ｃが表示されている。部位領域１３１ｂの中の部位（例えば、腹部）が選択されると、選択肢領域１３１ｃの先頭に腹部の選択肢の先頭が表示されるようにジャンプして表示される。
【００４６】この撮影条件入力画面１３１が表示され（図３のステップＳ１）、「音声入力」ボタンが押下されると（図３のステップＳ２）、制御部１１は、音声入力モードに切り換え（図３のステップＳ３）、「撮影条件を入力して下さい」という音声ガイダンスを出力する（図３のステップＳ４）。マイクから「頭蓋骨ＰＡ」と入力されると（ステップＳ５）、ステップＳ６〜Ｓ１０を実行し、選択済み条件表示領域１３１ａに「頭蓋骨Ｐ→Ａ」と表示すると共に、音声出力部２１から「頭蓋骨ＰＡ」という確認通知音声を出力させる（図３のステップＳ１１）。マイクから「頭蓋骨レーゼ」と音声入力されると（図３のステップＳ５）、制御部１１は、ステップＳ６及びＳ７の実行後、「入力に誤りがあります。再度入力してください。」という指示ミス警告及び入力ガイダンスを出力する（図３のステップＳ８及びＳ９）。
【００４７】このように、
音声入力により撮影条件を入力
【００４８】以上説明した様に、医用画像処理装置１によれば、制御部１１は、入力画面上で音声入力ボタンが押下されると、以後音声入力部１９のマイクから入力される音声を、入力指示信号として認識するように、音声入力モードへ切り換える。音声入力モードへの切り換え後、マイクより音声が入力されると、
制御部１１は、音声入力部１９に入力されたユーザの音声信号を音声認識部にて音声認識させ、テキストデータに変換し
音声処理対応付ファイル１５１を参照して、入力されたテキストデータに対応する処理を実行し
【００４９】従って、入力操作を音声により行うので、煩雑だった入力操作を容易にかつ迅速に行うことができる。また、入力指示された結果を音声によって通知するので、入力ミスを直ちにユーザに気付かせることができ、画面上で処理結果を確認する場合にしばしば発生していた確認もれが大幅に減少し、入力ミスを減少させることができる。その結果、医用画像処理装置における操作性が向上する。
【００５０】なお、上記実施の形態における記述内容は、本発明に係る医用画像処理装置１の好適な一例であり、これに限定されるものではない。例えば、本実施の形態においては、
医用画像処理装置１と医用画像読取装置３をケーブルにより接続したシステム
　
　上記（１−ア）〜（１−エ）の記載と第１〜７図を参照すると，上記刊行物１には， 次の発明（以下、「引用発明」という。）が記載されているといえる。
「　制御部１１、入力部１２、表示部１３、ＲＡＭ１４、記録媒体１５ａを有する記憶部１５、Ｉ／Ｆ１６、画像解析部１７、画像処理部１８、音声入力部１９、音声合成部２０、音声出力部２１により構成される医用画像処理装置１であって、
　１００種類以上にも及ぶ撮影部位の選択肢を、いちいち画面切り換えにより表示させて選択する必要がない音声入力により撮影条件を入力し、
　制御部１１は、音声入力部１９に入力されたユーザの音声信号を音声認識部にて音声認識させ、テキストデータに変換し、音声処理対応付ファイル１５１を参照して、入力されたテキストデータに対応する処理を実行し、
　撮影が指示されると、医用画像読取装置３の動作を制御して、撮影された放射線医用画像情報を取得して表示画面上に表示させるもので、
　音声出力部２１は、スピーカ、Ｄ／Ａコンバータ、及び増幅器等（何れも図示せず）により構成され、ＣＰＵ１１からの音声出力指示信号が入力されると、出力すべき音声のテキストデータをデジタル音声信号に変換し、該デジタル音声信号をＤ／Ａコンバータによりアナログ信号に変換後、このアナログ音声信号を増幅器により所定の音量に増幅して、スピーカから音声として出力する医用画像処理装置１と、
　Ｘ線照射部を備えた医用画像読取装置３と、
をケーブルにより接続したシステム。」
　
（２）上記刊行物２には、「音声ガイド付きＣＴ装置」について、図面とともに次の事項が記載されている。
（２−ア）
「従来このようなＸ線ＣＴ装量を操作するには、臨床放射線技師の資格とは別にＣＴ装置そのものに関する高度な知識を必要としていた。即ち、ＣＴ装置の持つ能力を充分に利用するにはＣＴ装置について専門的な知識を有する専門技師の操作が必要であった。」（１頁右下欄１４〜１９行）
　
（２−イ）
「本発明の目的は、以上のような従来ＣＴ装置の問題点を解決し、ＣＴ装置に関する専門知識の無い者であってもＣＴ装置を適切に操作し、ＣＴ装置の能力を充分に発揮することができるようにすることにある。
［発明の構成］
（問題点を解決するための手段）
上記目的を達成するため本発明は、ＣＴ装置の少なくとも操作手順を記憶するメモリと、コントロール・コンソールによる入力に応じてＣＰＵにより前記メモリか選択された操作手順等を音声にして発する音声発生装置とを具備した構成とした。
（作　用）
　本発明は上記の構成としたので、次のように作用する。
　即ち、操作者がコントロール・コンソールにより指令を入力すると、ＣＰＵが入力に応じた操作手順をメモリから選択し、該操作手順が音声発生装置から発っせられる。従って操作者がＣＴ装置に関する専門知識の無い者であっも、音声発生装置から発っせられる操作手順にガイドされてＣＴ装置を適切に操作することかでき、ＣＴ装置の能力を充分に発揮することができる。」（２頁左上欄９行〜右上欄１２行）
　
（３）上記刊行物３には、「入力支援装置、入力支援方法および入力支援プログラム」について、図面とともに次の事項が記載されている。
（３−ア）
「【発明の詳細な説明】
【０００１】
【発明の属する技術分野】
本発明は、入力支援装置、入力支援方法および入力支援プログラムに関する。
・・・
【０００６】
本発明は、上記事情に鑑みてなされたもので、放射能測定を行う際の作業者による操作性を向上し、誤入力を防止することができ、さらに入力メニューの項目及び表示順序を容易に変更可能として入力作業の能率向上を図ることができる入力支援装置、入力支援方法および入力支援プログラムを提供することを目的とする。
・・・
【００２３】
図５は、入力支援装置１００の表示装置１５に表示される画面であって、利用者がある表示順序パターンの登録内容を変更するための入力画面の一例の図である。利用者はマウス１３を使用してこの入力画面の操作を行い、メニュー候補１７３２及び設定項目１７３３の登録内容を変更することができる。
【００２４】
図５において、画面５１内にはメニュー候補１７３２に登録されている全メニュー候補に対応するボタンが表示される。例えば、図３のＦｏｒｍＩＤ１７の「フィルタ厚さ選択」のボタンＢ５１１、ＦｏｒｍＩＤ１４の「採取流量入力」のボタンＢ５１２、ＦｏｒｍＩＤ１５の「オフガス流量入力」のボタンＢ５１３などがある。利用者は、画面追加用ボタンＢ５０１をクリックして画面追加入力画面を表示し、メニュー候補１７３２に新たなメニュー候補を追加することができる。
【００２５】
画面５２内には、設定項目１７３３の登録内容に基づいて、現在編集中の表示順序パターンに該当するメニュー候補に対応するボタンが、該当する表示順序で表示される。例えば、図４のＩＤ＿Ａ１の表示順序パターンでは、先ずＯｒｄｅｒＮｏ１に対応するＦｏｒｍＩＤ５の「施設名選択」のボタンＢ５２１が表示され、以降、ＦｏｒｍＩＤ６の「試料名選択」のボタンＢ５２２、ＦｏｒｍＩＤ７の「試料形状選択」のボタンＢ５２３、ＦｏｒｍＩＤ８の「試料位置選択」のボタンＢ５２４、ＦｏｒｍＩＤ２９の「分析情報入力」のボタンＢ５２５、ＦｏｒｍＩＤ９の「測定者選択」のボタンＢ５２６、というようにＯｒｄｅｒＮｏによる表示順序に従って、順次、該当するメニュー候補に対応するボタンが表示される。
【００２６】
利用者は、ドラッグ・アンド・ドロップ操作により、画面５１内のボタンを画面５２内へ移動することにより、該ボタンのメニュー候補を現在編集中の表示順序パターンのＩＤの新規メニュー候補として設定項目１７３３へ追加登録することができる。反対に画面５２内のボタンを画面５１内へ移動することにより、該ボタンのメニュー候補を設定項目１７３３の登録内容から削除することができる。また、画面５２内において、ボタンの位置を
変更することにより、該変更後の位置に従った表示順序に設定項目１７３３の表示順序の登録内容を変更することができる。
ボタンＢ５０２はメニュー候補１７３２及び設定項目１７３３の登録内容を図５の入力画面の内容に従って更新するためのボタンである。ボタンＢ５０３は図５の入力画面の内容に基づく更新をキャンセルするためのボタンである。」
　
３　対比・判断 
（１）対比　
　本願発明と引用発明とを対比する。
ア　引用発明の「Ｘ線照射部を備えた医用画像読取装置３」は、本願発明の「被検体を撮像する撮像部」に相当する。
　
イ　引用発明の「音声入力により撮影条件を入力」することは、本願発明の「オペレータによって複数の入力項目に操作データが入力される」ことに相当する。そして引用発明は「音声入力により撮影条件を入力し、撮影が指示されると、医用画像読取装置３の動作を制御」するのであるから、引用発明の「音声入力部１９は、本願発明の「前記撮像部の動作を操作する操作部」に相当する。
　
ウ　引用発明の「システム」は、「医用画像処理装置１と、Ｘ線照射部を備えた医用画像読取装置３と、をケーブルにより接続した」ものであるから、本願発明の「画像診断装置」に相当する。
　
エ　引用発明の「音声出力部２１」は、本願発明の「音声出力部」に相当する。
　
　そうすると，両者は，　 
（一致点）  
　「被検体を撮像する撮像部と、
　オペレータによって複数の入力項目に操作データが入力されることにより、前記撮像部の動作を操作する操作部と
　を有する画像診断装置であって、
　前記操作部は、
　音声を出力する音声出力部と、
　を含む画像診断装置。」である点で一致し，以下の点で相違するといえる。　
　
（相違点）　
　本願発明では「操作部は、前記入力項目に入力された操作データに基づいて、設定項目に対応するように設定データを設定する設定部を含み、前記設定部は、前記複数の入力項目にて一の入力項目に操作データが入力された後に、
当該一の入力項目に入力された操作データが変更された際には、当該一の入力項目において変更された操作データに基づいて、前記設定項目に対応するように設定した設定データを変更し、
　前記音声出力部は、前記設定部によって前記設定データが変更された際には、前記設定データが変更された旨の設定変更情報を、オペレータに音声で提供する」のに対して、引用発明では、そのような特定をしていない点。
　
（２）相違点についての検討
　本願の明細書には、「設定項目」について、「【発明を実施するための最良の形態】
【００１９】
＜実施形態１＞
（装置構成）
  図１は、本発明にかかる実施形態１において、磁気共鳴イメージング装置１の構成を示す構成図である。
・・・
【００４２】
  設定部３２３は、コンピュータと、そのコンピュータを用いて所定のデータ処理を実行するプログラムを記憶するメモリとを有しており、入力項目に入力された操作データに基づいて、設定項目に対応するように設定データを設定する。本実施形態においては、
設定部３２３は、入力項目に入力された操作データに基づいて、スキャン時間などの設定項目について、そのスキャン時間に対応する設定データを算出し、設定する。
【００４５】
（動作）
  以下より、上記の本発明にかかる実施形態１の磁気共鳴イメージング装置１を用いて、被検体を撮像する際の動作について説明する。
・・・
【００５０】
  図４に示すように、たとえば、被検体の氏名，被検体の体重などの被検体情報を、入力項目として、文字情報によって、表示部３３が表示画面に表示する。また、たとえば、スライス枚数（＃  ｏｆ  Ｓｌｉｃｅ），エコー数（＃  ｏｆ  ＴＥ  ｐｅｒ  Ｓｃａｎ），エコー時間（ＴＥ），繰り返し時間（ＴＲ），バンド幅（ＢＷ）のスキャンパラメータなどの入力項目を、文字情報として、表示部３３が表示画面に表示する。そして、これと共に、これらの被検体情報、スキャンパラメータなどの入力項目に対応する操作データを入力するダイヤログボックスを、各入力項目の文字情報に対応して並ぶように、表示画面に表示する。そして、
スキャンパラメータなどの入力項目に入力された操作データに基づいて算出される、スキャン時間（Ｓｃａｎ  Ｔｉｍｅ）などの設定項目
・・・
【００６４】
  図６に示すように、たとえば、被検体の体重が「６０」，スライス枚数（＃  ｏｆ  Ｓｌｉｃｅ）が「１０」，エコー数（＃  ｏｆ  ＴＥ  ｐｅｒ  Ｓｃａｎ）が「１」，エコー時間（ＴＥ）が「１５」，繰り返し時間（ＴＲ）が「５００」，バンド幅（ＢＷ）が「１９．５」である旨の操作データが、順次、入力された際には、その入力された操作データに対応する文字情報を、これに対応するスキャンパラメータのダイヤログボックスに表示部３３が文字情報として表示する。
【００６５】
  そして、その入力項目に入力された操作データに基づいて、設定部３２３が、設定項目に対応するように設定データを設定する。本実施形態においては、
入力項目に入力された操作データに基づいて、スキャン時間などの設定項目について、そのスキャン時間に対応する設定データを算出して、設定する。
・・・
【００８１】
＜実施形態２＞
  以下より、本発明にかかる実施形態２について説明する。
【００８２】
  本実施形態は、音声出力部３２２と設定部３２３との動作が実施形態１と異なる。この点を除き、実施形態１と同様である。このため、重複する個所については、説明を省略する。
・・・
【００８５】
  たとえば、実施形態１において図６に示したように、繰り返し時間（ＴＲ）を、先に入力した操作データである「５００」から、図７に示すように、「３００」に変更するように操作データが入力した際には、先に設定されたスキャン時間（Ｓｃａｎ  Ｔｉｍｅ）の設定データである「１：００」を、設定部３２３が、「２：００」に変更する。ここでは、予め定められた計算式に対応するように計算処理を実施することによって、この
スキャン時間などの設定項目
　そうすると、引用発明の「入力されたユーザの音声信号を音声認識部にて音声認識させ」、「変換し」た「テキストデータ」は「操作データ」に対応するものであって、「設定項目」に対応するものではないので、引用発明は、入力項目に入力された操作データに基づいて、算出し、設定する設定項目も設定手段も備えていない。
　つまり、引用発明は、「操作部は、前記入力項目に入力された操作データに基づいて、設定項目に対応するように設定データを設定する設定部を含み、前記設定部は、前記複数の入力項目にて一の入力項目に操作データが入力された後に、
当該一の入力項目に入力された操作データが変更された際には、当該一の入力項目において変更された操作データに基づいて、前記設定項目に対応するように設定した設定データを変更し、
　前記音声出力部は、前記設定部によって前記設定データが変更された際には、前記設定データが変更された旨の設定変更情報を、オペレータに音声で提供する」構成を備えていない。
　また、刊行物２，３にも本願発明の「設定項目」に対応する構成は記載されていない。
　してみると、引用発明と刊行物２、３記載の事項を如何に組み合わせたとしても、相違点に記載の本願発明の構成を容易に想到できたものとはいえない。
　
（３）作用効果についての検討
　上記相違点に係る本願発明の構成によって、本願発明は、明細書【００１８】に記載された顕著な作用効果を奏する。
　
第４　まとめ
　以上のとおり、本願発明は、引用発明および刊行物２、３記載の事項に基いて当業者が容易に発明をすることができたものであるとすることができないから、原査定の理由によって拒絶すべきものとすることはできない。
　また、他に本願を拒絶すべき理由を発見しない。
　よって、結論のとおり審決する。